(57)【要約】      （修正有）【課題】各種のパンフレットや案内書、入会申し込み用紙等を展示提供するためのケースであり、木製であることから軽量であって、輸送や保管のときにコンパクトに扱うことができ使用時の組み立てが容易であって、視覚的な効果がある。さらに、木製であることから木の香りを周囲に漂わせ、自然に親しみ、その場の雰囲気を和らげる効果を持たせることにある。【解決手段】仕切板、底板、桟木、背面板で形作られるパンフレット箱を載せるための三角面体を前支柱に接着した前支柱と後支柱とを接合し、接合部で相互に回転可能とした一対の前支柱と後支柱とを組み合わせ、前支柱に接着させた三角面体の上にパンフレット箱を設置し、運送・保管の時には前支柱と後支柱の間を閉じ、使用時には前支柱と後支柱の間を開き、前後支柱用固定板で前支柱と後支柱の間隔を固定して立ち上げることができるようにした木製パンフレット立てである。【選択図】図８
0003140229.tif 000002
【実用新案登録請求の範囲】
【請求項１】
仕切板、底板、桟木、背面板で形作られるパンフレット箱を載せるための三角面体を接着した前支柱と前支柱と互いに支え合う後支柱とを接合し、接合部で相互に回転可能とした一対の前支柱と後支柱の接合体の間に、前支柱に接着させた三角面体の上にパンフレット箱を載せ、運送・保管の時には前支柱と後支柱の間を閉じ、使用時には前支柱と後支柱の間を開き、前後支柱用固定板で前支柱と後支柱の間隔を固定して立ち上げることができるようにした木製パンフレット立て。
【請求項２】
前支柱と後支柱の長さあるいは、前支柱と後支柱の接合部である前後支柱接合部の位置を変えて、高さを変化させた請求項１の木製パンフレット立て。
【請求項３】
パンフレットの大きさ、種類に合わせ、一対の前支柱と後支柱の接合体の間隔を変え、また仕切板、底板、桟木、背面板の形状を変化させて形作られるパンフレット箱を載せた請求項１または請求項２の木製パンフレット立て。
【請求項４】
前支柱用平面板、上部水平板、下部資料台のいずれか、または前記いずれか二つあるいはすべてを付けた請求項１、請求項２または請求項３の木製パンフレット立て。
【請求項５】
上部最後部と後支柱最後部が同一垂線上にある請求項１、請求項２、請求項３または請求項４の木製パンフレット立て。
【考案の詳細な説明】
【技術分野】
【０００１】
本考案は、運送・保管時にはコンパクトに扱うことができ、組み立てが容易である軽量の木製パンフレット立てに関するものであり、事務所内のカウンターや受付に置いてパンフレットやチラシを入れて使用するものである。
【背景技術】
【０００２】
森林は水源涵養、土壌保全、地球温暖化防止等の公益的機能を有しているが、安価で輸入される外材によりわが国の林業は危機に瀕している。間伐は、森林を保全するため成長過程で、過密となった森林に対し木の本数を減らすため、切り取りして健全な森林を維持するための重要な作業である。しかし、林業従事者が減少し間伐作業が思わしく行われないため、こうした森林の公益的機能が失われていく恐れがあり、いわゆる線香林となった山も見られるほどである。間伐により生ずる間伐材は、その大部分が径２０ｃｍ以下の大きさであり、建築材料としては適さず、足場や木柵に使用されていたが、プラスチックや金属に取って代わられ需要は低迷し、森林内に放置される場合も多く、その利用率は５０％以下であると言われ、間伐作業の低下に拍車をかけているさまである。こうした状況を改善すべく、グリーン購入法で間伐材が環境物品と位置づけられ、その利用方法が広く検討されている。
【０００３】
考案者が居住する天竜川流域は、金原明善で知られるわが国でも有数の人工美林地帯であり、天龍美林とも呼ばれている。そこでは、良質の檜や杉が生産されているが、その分、人工美林を維持するため間伐作業は重要であり、間伐材が多く生じている。これらの間伐材を有効利用し、少しでも間伐作業へ還元する方法を考案者は模索していた。
【０００４】
駅の構内、旅行会社の店頭、事務所のカウンターの近く等に、種類別にパンフレットや小雑誌がトレー状のケースに収納して平積状態で陳列したり、また専用のラックに入れて展示している。トレー状のケースを用いた場合には平積み状態のため視覚的な効果が低く、またラックでは保管のスペースが多く必要であり、現場での組み立てにも手間を要する。
こうしたトレー状のケースやラックは、大部分がスチール製であるかプラスチック製であり、スチール製のケースやラックは重く、これをビル内の上方階まで搬送することは人手を要し、またプラスチック製のケースやラックは軽量ではあるが、強度が欠ける等の問題点がある。また、こうしたビル内部では、スチール製の机や椅子あるいはプラスチック製の事務機器等人工材料の製品に囲まれ、自然のものに親しむ機会が少なく観葉植物等が安らぎを与えている。
【０００５】
間伐材の有効利用を模索していた考案者は、人目につきやすいパンフレット立てを間伐材で生産し、ビル内に設置して、木の香りがあり少しでも自然に親しむ雰囲気を作ることにより、観葉植物と同様に人に和みを与えるのではないかとの発想により本考案をした。
【０００６】
パンフレット立てに関する先行技術としては、パンフレットを入れる箱体に後部支持板を付けて床面等に設置する提案がある(特許文献１)。本提案はパンフレットを入れる箱体は一つでありまた木製とは限られていない。また本考案に近い先行技術としては、整列用のロープを係止するジュンクションの付着したパンフレットボックスがある(特許文献２)。本提案は、パンフレットを平積状態で陳列するものであり、各種のパンフレットを立掛けて陳列するものではなく、また木製ではない。
【特許文献１】特許公開平８−３２４５５０
【特許文献２】特許公開平７−１１６０４４
【０００７】
そこで、本考案者は檜、杉等の間伐材を用い、周囲の人に木の香りがあり、自然に少しでも近づくことができるような木製のパンフレット立てを駅の構内、銀行、あるいは事務所等に提供することを思いついた。そして、その木製パンフレット立ては、運搬・保管時には支柱を閉じてコンパクトな形とし、使用時には支柱を広げて手軽に立ち上げることができ、木製であり軽量であって、上方階に搬送しやすい構造とする考案をするに至った。
【考案の開示】
【考案が解決しようとする課題】
【０００８】
解決しようとする問題点は、間伐材を用い、運搬・保管時にはコンパクトな形として、使用時には手軽に組み立てることができる木製パンフレット立てを提供しようとするものである。
【課題を解決するための手段】
【０００９】
すなわち、請求項１の考案は、仕切板、底板、桟木、背面板で形作られるパンフレット箱を載せるための三角面体を接着した前支柱と前支柱と互いに支え合う後支柱とを接合し、接合部で相互に回転可能とした一対の前支柱と後支柱の接合体の間に、前支柱に接着させた三角面体の上にパンフレット箱を載せ、運送・保管の時には前支柱と後支柱の間を閉じ、使用時には前支柱と後支柱の間を開き、前後支柱用固定板で前支柱と後支柱の間隔を固定して立ち上げることができるようにした木製パンフレット立てである。
【００１０】
パンフレット、チラシあるいは小雑誌等(以下総称してパンフレットとする。)を立てかけて置くパンフレット箱２は、仕切板２１、底板２２、桟木２３、背面板２４より形作られる。背面板２４の大きさは展示するパンフレットの大きさ例えばＡ４判とかＢ３判Ａ等や種類の数により決められる。ここで種類の数としたのは、内容の異なるパンフレットを幾種類展示するかという意味である。また背面板２４上の仕切板２１の位置は、パンフレットの大きさにあわせてその間隔が決められる。底板は、パンフレットを支える箇所であり、その奥行きは２０ｍｍ〜４０ｍｍ程度である。仕切板２１、底板２２、桟木２３、背面板２４の寸法は互いに関連している。これらの材料は、大部分間伐材が用いられ、接着剤及び釘等(以下接着剤や釘等で密着させることを接着等とする。)でパンフレット箱２は形作られる。三角面体３８は、パンフレット箱を載せるための部品である。三角面体３８にパンフレット箱を載せるとは、三角面体３８の水平面だけではなく、垂直面にパンフレット箱を接着等することをいう。木製パンフレット立て１は、前支柱３１と後支柱３２により互いに支えあって立ち上がらせるため、前支柱３１は後方への傾きが生じる。この前支柱３１にパンフレット箱を置いた場合、その傾きによりパンフレットが見にくくなる。そこでパンフレットを略垂直にして見やすくなるようにするため、三角面体３８を前支柱３１に接着等して三角面体３８にパンフレット箱２を載せるようにする。
【００１１】
前支柱３１と後支柱３２は、前後支柱接合部３３にて接合され、さらに互いに回転可能となっている。接合するとは、前支柱３１と後支柱３２の一箇所である前後支柱接合部３３でボルト等にて接触しつなぐような状態になることをいう。そしてこの前後支柱接合部３３は回転可能となっていて、運搬・保管時には前支柱３１と後支柱３２は閉じておき、使用時にはこれを開き、前後支柱用固定板３６を使用して前支柱３１と後支柱３２の間隔を固定し木製パンフレット立て１を立ち上げる。前支柱３１と後支柱３２を接合したものを前支柱と後支柱の接合体とする。一対の前支柱と後支柱の接合体の間隔はパンフレット箱２の横の長さにより決められる。ここで架台部３とは、図３に示すように、パンフレット箱２を載せるための構造体をいう。なお、木製パンフレット立てとしているが、構成部材のすべてに木材を使用するものではなく、構成部材の大部分が木材を使用しているものであり接合部等は金属を使用することもある。
【００１２】
請求項２の考案は、前支柱と後支柱の長さ、あるいは前支柱３１と後支柱３２の接合部である前後支柱接合部３３の位置を変えて、高さを変化させた請求項１の木製パンフレット立てである。
【００１３】
建物や用途に応じ木製パンフレット立ての高さを変化させるものである。前支柱３１と後支柱３２の前後支柱接合部３３は、図３のように前支柱３１、後支柱３２の上方部にあるだけでなく、図４に見られるように前支柱３１の中間部にあってもよく、この場合には前支柱３１と後支柱３２の長さは異なるものとなる。木製パンフレット立て１の高さとのバランスで前支柱３１、後支柱３２、前後支柱接合部３３の位置が決められる。
【００１４】
請求項３の考案は、パンフレットの大きさ、種類に合わせ、一対の前支柱と後支柱の接合体の間隔を変え、また仕切板、底板、桟木、背面板の形状を変化させて形作られるパンフレット箱を載せた請求項１または請求項２の木製パンフレット立てである。
【００１５】
パンフレットの大きさや展示するパンフレットの種類によりパンフレット箱２の大きさや木製パンフレット立て１の幅に変化を持たせたものである。
【００１６】
請求項４の考案は、前支柱用平面板、上部水平板、下部資料台のいずれか、または前記いずれか二つあるいはすべてを付けた請求項１、請求項２または請求項３の木製パンフレット立てである。
【００１７】
本木製パンフレット立ては、パンフレット箱２の上部あるいは下部に書面を貼り付け展示するための前支柱用平面板４０、上部に物を置くための上部水平板４１、あるいはパンフレットを準備しておくための資料台４２を設けることができる。さらにこれらを付けることにより架台３の構造上の安定度が増すことになる。なお資料台４２は、パンフレット箱２または前支柱用平面板４０の裏側に水平に置かれ、取り外しが可能であることが必要である。運送・保管のときには、資料台４２を取り外して前支柱３１と後支柱３２を閉じてコンパクトにする必要があるからである。なお、資料台４２は前支柱３１あるいは後支柱３２のいずれかに回転可能として接合し前支柱３１と後支柱３２が閉じるようになっていてもよい。
【００１８】
請求項５の考案は、上部最後部と後支柱最後部が同一垂線上にある請求項１、請求項２、請求項３または請求項４の木製パンフレット立てである。
【００１９】
上部最後部４３とは、木製パンフレット立て１の最上部であって最も後の位置をいい、後支柱最後部４４とは後支柱の最も後の位置を言う。上部最後部４３と後支柱最後部４４が同一垂線上にあることにより、本木製パンフレット立ての背面を壁に向かって立てたときに、壁面と一致して、安定するからである。なお、上部最後部４３には前支柱３１、後支柱３２がなる場合だけでなく、上部水平板４１の後部がなる場合もある。
【考案の効果】
【００２０】
請求項１の考案は、間伐材を利用し、組み立てが容易な木製パンフレット立てであって、運送・保管の時にはコンパクトにでき取り扱いに手間がかからず、組み立て使用するときには、木製であって木の香りが周囲に漂いまた、少しでも自然のものに触れる機会を与え人に安らぎを与えることができる。
【００２１】
請求項２の考案は、建物等の環境により木製パンフレット立ての高さに変化を与えるものであり、請求項３の考案はパンフレットの大きさや展示するパンフレットの種類によりパンフレット箱の大きさに変化を与えるものであり、用途に応じた形状とするためである。
【００２２】
請求項４の考案は、木製パンフレット立ての一部を掲示板として使用したり、サンプル品を置いて展示したり、またパンフレット箱の後にパンフレット等を資料台に置いて準備しておくためである。請求項５の考案は、木製パンフレット立てを壁側に設置したとき、その背面が壁面にピタッと接して安定させるためである。
【考案を実施するための最良の形態】
【００２３】
本考案の実施例を以下に示す。
【実施例１】
【００２４】
図１及び図２は、パンフレット箱２の図である。木製パンフレット立て１を生産するにあたり、まずパンフレット箱２をつくる。桟木２３の長さは背面板２４の横幅にあわせ、桟木２３の厚さはパンフレットが見難くならない程度であればよい。仕切板２１の長さは底背面板２４の縦幅にあわせ、横幅は底板２２の縦幅に合わされ、その厚さは接着等をすることができる程度であればよい。パンフレット立て１の一例を図７及び図８に示す。図７、図８ではパンフレット箱２が４段になっている。ただしこれに限るものではなく、木製パンフレット立ての大きさは任意である。そしてパンフレット箱２は、図１のように、仕切板２１と底板２２が重なることなく三角面体３８に載せられている。しかしパンフレット立ての高さを短くしようとした場合には、図２に示すように仕切板２１と底板２２の一部が重なるようにして三角面体３８に載せる場合もある。この場合には、パンフレットが折最下部のパンフレット箱を除いて桟木を１本とすることもできる。
【００２５】
図３に架台部を示す。前支柱３１と後支柱３２は、図５のように接合されている。ボルト前支柱３１と後支柱３２は、ワッシャー５２をはさみ、さらにボルト５１及びナット５４の前にワッシャー５２を入れ、ナット５４が外れないように袋ナット５３を用いている。ナット５４、袋ナット５４は、前支柱３１及び後支柱が回転する程度に締めて固定されている。ただし前支柱３１と後支柱３２が回転できれば足り、前支柱３１と後支柱３２の接合方法はこれに限るものではない。
【００２６】
対向する後支柱３２は安定のため、後支柱用桁３４により連結されている。この場合には回転できる必要はなく、後支柱３２と後支柱用桁３４はボルトやナット等で固定化される。ただし後支柱３２と後支柱用桁３４が固定できるものであればよくこの方法に限るものではない。
【００２７】
対向する前支柱３１を固定する前支柱用桁３５は、パンフレット箱２や前支柱用平面板４０があり固定されるので省いても良い。なお、その接合は後支柱用桁３４と同様である。
【００２８】
前後支柱用固定板３６は前支柱３１と後支柱３２の間隔を固定し、パンフレット立て１を立ち上がらせるためのものである。図３において、前後支柱用固定板３６は、後支柱３２に回転可能のように前後支柱用固定板接合部３７に接合されている。この接合方法は図５に示したものと同じである。前後支柱用固定板３６の前支柱３１との接合部は凹上に削られており、パンフレット立ての使用時には、前支柱の前後支柱用固定板接合部３７に用意された蝶ネジ５５により締め付けて、前支柱３１と後支柱３２は前後支柱用固定板３６により固定される。なお、ここでは前後支柱用固定板３６と蝶ネジ５５によ固定したが、この方法に限られるものではなく、前支柱３１と後支柱３２の間隔が固定されれば他の方法でもよい。例えば、図示しないが、前支柱３１と後支柱３２の前後支柱用固定板接合部３７を凸状とし、前後支柱用固定板３６の両端を凹状として、凸状の箇所に凹状を嵌合させる方法であってもよい。
【００２９】
図７及び図８は試作した木製パンフレット立ての斜視図である。図７に示す木製パンフレット立ては長尺型のものであり、前支柱用平面板４０を除いて間伐材を使用している。前支柱３１と後支柱３２の前後支柱接合部３３は各支柱の上方にあり、パンフレット箱は重なることなく４段になっている。桟木２３は各パンフレット箱の仕切板２１上に２本接着等されている。前支柱用桁３５は、前支柱用平面板４１があるため省かれている。
【００３０】
図８は短縮型木製パンフレット立てである。パンフレット箱は図２のように一部重ねられている。図４に示すように、架台部３の後支柱３２は前支柱の中間部にある前後支柱接合部３３において接合されている。短縮型木製パンフレット立てでは、その上部に上部水平板４１が付けられ小物等を乗せて展示できるようにしている。短縮型木製パンフレット立ても前支柱用平面板４０を除いて間伐材を使用している。図７の長尺型木製パンフレット立ては高さが約１６０ｃｍあり、図８の短縮型パンフレット立ては約１１０ｃｍであるが、前述のように高さは任意である。なお、ここでは架台には檜、パンフレット箱には杉の間伐材を使用している。
【産業上の利用可能性】
【００３１】
間伐材は、前述したようにグリーン購入法で環境物品と位置づけられ、その利用法が広く検討されている。檜や杉は、周囲に木の香りを漂わせ、見る人の心を和ませてくれる効果もある。このような間伐材を使用した木製パンフレット立ては、駅の構内や会社の事務所内に設置することにより、パンフレットの展示だけの効果だけではなくその場の雰囲気も落ち着かせる等の効果があると思われる。さらにこうした間伐材の使用により、経済的効果を間伐作業に還元することができると思われ、今後の需要が期待される。
【図面の簡単な説明】
【００３２】
【図１】パンフレット箱
【図２】重ねたパンフレット箱
【図３】架台部
【図４】短縮形架台部
【図５】接合部
【図６】蝶ネジ接合部
【図７】長尺型パンフレット立て
【図８】短縮型パンフレット立て
【符号の説明】
【００３３】
１    パンフレット立て
２    パンフレット箱    ２１  仕切板  ２２  底板  ２３  桟木  ２４  背面板
３    架台部  ３１前支柱  ３２後支柱  ３３前後支柱接合部  ３４  後支柱用桁
３５  前支柱用桁  ３６前後支柱用固定板  ３７前後支柱用固定板接合部
３８  三角面体
４０  前支柱用平面板  ４１  上部水平板  ４２  資料台
５１  ボルト  ５２  ワッシャー  ５３  袋ナット  ５４  ナット  ５５  蝶ネジ
【図１】
0003140229.tif 000003
【図２】
0003140229.tif 000004
【図３】
0003140229.tif 000005
【図４】
0003140229.tif 000006
【図５】
0003140229.tif 000007
【図６】
0003140229.tif 000008
【図７】
0003140229.tif 000009
【図８】
0003140229.tif 000010